(57)【特許請求の範囲】
【請求項１】
記録書込みした記録媒体を排出する排出ローラを備えた記録装置において、
前記排出ローラの軸方向に所定の間隔を開けて複数配設された、一部が切り欠かれている軸受けと、
前記排出ローラを付勢する付勢手段とを備え、
前記排出ローラを、前記軸受けによって多点支持し、前記付勢手段によって前記記録媒体の排出方向側に偏寄させることにより、
前記排出ローラの変形と変動を規制して、前記記録媒体の蹴飛ばし現象を防止することを特徴とする記録装置。
【請求項２】
記録書込みした記録媒体を排出する排出ローラを備えた記録装置において、
前記排出ローラの軸方向に所定の間隔を開けて複数配設された、一部が切り欠かれている軸受けと、
前記排出ローラを付勢する付勢手段とを備え、
前記排出ローラを、前記軸受けによって多点支持し、前記付勢手段によって前記記録媒体の排出方向とは逆方向側に偏寄させることにより、
前記排出ローラの変形と変動を規制して、前記記録媒体の蹴飛ばし現象を防止することを特徴とする記録装置。
【請求項３】
前記付勢手段は、前記排出ローラの軸部が嵌入されるリング部を備えていることを特徴とする請求項１または２に記載の記録装置。
【請求項４】
前記付勢手段は、前記排出ローラに対して前記記録媒体の排出方向上流側に配設されている板バネもしくは圧縮コイルバネであることを特徴とする請求項１に記載の記録装置。
【請求項５】
前記付勢手段は、前記排出ローラに対して前記記録媒体の排出方向下流側に配設されている引張コイルバネであることを特徴とする請求項１に記載の記録装置。
【請求項６】
前記付勢手段は、前記排出ローラに対して前記記録媒体の排出方向上流側に配設されている引張コイルバネであることを特徴とする請求項２に記載の記録装置。
【請求項７】
前記付勢手段は、前記排出ローラに対して前記記録媒体の排出方向下流側に配設されている板バネもしくは圧縮コイルバネであることを特徴とする請求項２に記載の記録装置。
【発明の詳細な説明】
【０００１】
【発明の属する技術分野】
本発明は、記録書込みした記録媒体を排出する排出ローラを備えた記録装置に関する。
【０００２】
【従来の技術】
一般に、記録装置の１つであるインクジェット式プリンタは、給紙トレイに収納されている用紙を給紙ローラにより給紙し、紙送りローラと従動ローラとの間に挟持して記録部へ搬送する。そして、用紙に対して記録ヘッドからインク滴を吐出させて記録し、排紙ローラとギザローラとの間に挟持して排紙トレイに排紙するように概略構成されている。
【０００３】
このように、用紙は排紙ローラと紙送りローラとの間で記録されるので、排紙ローラの回転速度が紙送りローラの回転速度より若干速くなるように設定して、排紙ローラと紙送りローラとの間で用紙をぴんと張ることにより、用紙を平坦にして記録精度を向上させることができる。
【０００４】
【発明が解決しようとする課題】
図９は、従来の排紙ローラを示す斜視図である。この排紙ローラ１は、プラスチックで成る軸部２が少なくとも記録可能な最大用紙幅より長くなるように形成され、さらにゴムで成るローラ部３が軸部２に所定の間隔をあけて複数嵌入されている。このような排紙ローラ１は、紙送りローラに対して増速するよう設定しているため、排紙ローラ１と紙送りローラとの間で用紙を張ると排紙ローラ１には紙送りローラ側に引き込まれる力が作用する。このため、排紙ローラ１にしなり等の変形が生じるおそれがある。
【０００５】
そして、排紙ローラ１のしなり等の変形は用紙の後端が紙送りローラから外れたときに復元するので、そのときにいわゆる用紙の蹴飛ばし現象が発生する場合がある。上述したインクジェット式プリンタが用紙の全面もしくは略全面に記録可能なプリンタの場合、用紙の後端は紙送りローラから外れた後も記録が継続されているので、上記蹴飛ばし現象が発生すると、記録精度に悪影響を及ぼすおそれがある。
【０００６】
また、上記排紙ローラ１は、図１０に示すように、一部が切り欠かれた軸受け４に填め込まれている。ところが、軸受け４に切り欠き部分４ａがあると、軸受け４とそれに填め込まれた排紙ローラ１の軸部２との間に遊びが生じる。また、軸受け４の内径に対し、排紙ローラ１が負荷なく回転摺動可能な形態とするため、一定クリアランス（一般には、０．０２ｍｍ〜０．２ｍｍ）を設けている。したがって、この排紙ローラ１と紙送りローラとの間で用紙を張ると、排紙ローラ１が紙送りローラ側に遊びの分だけ引っ張られる。そして、用紙の後端が紙送りローラから外れたときに排紙ローラ１が軸受け４内で変動するので、そのときに上記蹴飛ばし現象と似た現象が発生する場合がある。
【０００７】
本発明の目的は、上述した課題に鑑みなされたものであり、排出ローラによる記録媒体の蹴飛ばし現象を防止することができる記録装置を提供することにある。
【０００８】
上記目的達成のため、本発明の請求項に係る記録装置では、記録書込みした記録媒体を排出する排出ローラを備えた記録装置において、前記排出ローラの軸方向に所定の間隔を開けて複数配設された、一部が切り欠かれている軸受けと、前記排出ローラを付勢する付勢手段とを備え、前記排出ローラを、前記軸受けによって多点支持し、前記付勢手段によって前記記録媒体の排出方向側に偏寄させることにより、前記排出ローラの変形と変動を規制して、前記記録媒体の蹴飛ばし現象を防止することを特徴としている。これにより、排出ローラに排出方向とは逆方向側の力が掛かっても、排出ローラには常に排出方向側の力が掛かっているため、軸受けとそれに填め込まれた排出ローラの軸部との間に遊びが生じていても、排出ローラの軸受け内での変動を規制することができる。したがって、排出ローラによる記録媒体の蹴飛ばし現象を防止することができ、特に全面記録時の記録精度を向上させることができる。
【０００９】
上記目的達成のため、本発明の請求項に係る記録装置では、記録書込みした記録媒体を排出する排出ローラを備えた記録装置において、前記排出ローラの軸方向に所定の間隔を開けて複数配設された、一部が切り欠かれている軸受けと、前記排出ローラを付勢する付勢手段とを備え、前記排出ローラを、前記軸受けによって多点支持し、前記付勢手段によって前記記録媒体の排出方向とは逆方向側に偏寄させることにより、前記排出ローラの変形と変動を規制して、前記記録媒体の蹴飛ばし現象を防止することを特徴としている。これにより、排出ローラは常に排出方向とは逆方向側に押し付けられているので、軸受けとそれに填め込まれた排出ローラの軸部との間に遊びが生じていても、排出ローラの軸受け内での変動を防止することができる。したがって、排出ローラによる記録媒体の蹴飛ばし現象を防止することができ、特に全面記録時の記録精度を向上させることができる。
【００１０】
また、本発明の請求項に係る記録装置では、前記付勢手段は、前記排出ローラの軸部が嵌入されるリング部を備えていることを特徴としている。
【００１１】
また、本発明の請求項に係る記録装置では、前記付勢手段は、前記排出ローラに対して前記記録媒体の排出方向上流側に配設されている板バネもしくは圧縮コイルバネであることを特徴としている。また、本発明の請求項に係る記録装置では、前記付勢手段は、前記排出ローラに対して前記記録媒体の排出方向下流側に配設されている引張コイルバネであることを特徴としている。これにより、付勢手段を簡易な構造とすることができるので、排出ローラ周りのコストの上昇を抑えることができる。
【００１２】
また、本発明の請求項に係る記録装置では、前記付勢手段は、前記排出ローラに対して前記記録媒体の排出方向上流側に配設されている引張コイルバネであることを特徴としている。また、本発明の請求項に係る記録装置では、前記付勢手段は、前記排出ローラに対して前記記録媒体の排出方向下流側に配設されている板バネもしくは圧縮コイルバネであることを特徴としている。これにより、付勢手段を簡易な構造とすることができるので、排出ローラ周りのコストの上昇を抑えることができる。
【００１３】
【発明の実施の形態】
以下、図面に基づいて本発明の実施の形態について詳細に説明する。図１は、本発明の実施の形態に係る記録装置の１つであるインクジェット式プリンタの外部構成の全体を排紙口を閉じた状態で斜め前方から見た斜視図、図２は、その排紙口を開いた状態の斜視図ある。このインクジェット式プリンタ１００は、全体が幅方向に長く延びる直方体状の上部ハウジング１０１と下部ハウジング１０２を備えている。上部ハウジング１０１と下部ハウジング１０２は、スナップフィットにより締結されている。
【００１４】
上部ハウジング１０１の後方側には、給紙口１０３が形成されている。この給紙口１０３には、給紙される用紙が積層載置される給紙トレイ１１０が配設されている。給紙トレイ１１０は、斜め上後方へ突き出るように配設されており、用紙を傾斜した状態で保持するようになっている。上部ハウジング１０１の前方側には、排紙口１０４が形成されている。そして、上部ハウジング１０１と下部ハウジング１０２の前面側には、排紙される用紙が積層載置される排紙スタッカ１２０が配設されている。
【００１５】
排紙スタッカ１２０は、その下部の回動軸を中心に上部ハウジング１０１と下部ハウジング１０２の前面側に回動可能に取り付けられ、不使用時は起立方向に回動されて排紙口１０４を閉じ、使用時は倒伏方向に回動されて排紙口１０４を開け、下部ハウジング１０２から斜め上前方に突き出る位置で停止して用紙を傾斜した状態で受けるようになっている。この排紙スタッカ１２０は、基端側の１段目のスタッカ部材１２１及びこの１段目のスタッカ部材１２１に格納・引出自在に設けられた先端側の２段目のスタッカ部材１２２との２段構成となっている。
【００１６】
上部ハウジング１０１の上部から前面にかけて窓部１０５が形成されている。この窓部１０５は、透明もしくは半透明な湾曲した開閉自在なカバー１０６によって覆われている。このカバー１０６を開放することにより、インクカートリッジの交換作業や内部機構のメンテナンス作業等を容易に行うことができる。また、上部ハウジング１０１の左後方側には、押しボタン式のパワー系のスイッチ１３１と操作系のスイッチ１３２、１３３が配設されている。
【００１７】
図３は、図１のインクジェット式プリンタ１００の上部ハウジング１０１を取り外したときの内部構成の全体を斜め前方から見た斜視図、図４は、その主要部の断面側面図である。下部ハウジング１０２上には、プリンタコントローラを構成する図３に示すメイン基板１３０が縦置きに配置されていると共に、プリントエンジンを構成する図３に示す記録手段１４０と、図４に示す用紙の供給手段１５０及び搬送手段１６０等が配設されている。
【００１８】
メイン基板１３０には、図示しないＣＰＵ、ＲＯＭ、ＲＡＭ、ＡＳＩＣ等の制御素子や記憶素子、及びその他の各種回路素子が装着されており、その上端には、上述したパワー系のスイッチ１３１や操作系のスイッチ１３２、１３３が押された時にそれぞれ発光することによりユーザがスイッチＯＮを確認し得るように配置された発光ダイオード１３４、１３５、１３６が突設されている。
【００１９】
記録手段１４０は、キャリッジ１４１、記録ヘッド１４２、キャリッジモータ１４３、タイミングベルト１４４、吸引ポンプ１４５等を備えている。搬送手段１６０により搬送される用紙は、キャリッジモータ１４３とタイミングベルト１４４により走査されるキャリッジ１４１に搭載された記録ヘッド１４２により記録されるようになっている。この記録ヘッド１４２は、フルカラー印刷が可能なように、キャリッジ１４１内に収納された例えばイエロー、マゼンタ、シアン、ブラックの計４色のインクカートリッジ１４６から各色インクが供給されるようになっている。
【００２０】
供給手段１５０は、給紙トレイ１１０、給紙ガイド１１１、給紙ローラ１５１、ホッパ１５２、分離パッド１５３等を備えている。給紙トレイ１１０に積層載置され給紙ガイド１１１により揃えられた用紙Ｐは、給紙ローラ１５１の回転に伴うホッパ１５２の上昇により分離パッド１５３で給紙ローラ１５１に押付けられ、最上位の用紙Ｐから１枚ずつ分離されて搬送手段１６０へ給送されるようになっている。
【００２１】
搬送手段１６０は、紙送りローラ１６１と従動ローラ１６２、排紙ローラ１６３とギザローラ１６４、紙送りモータ１６５、排紙スタッカ１２０等を備えている。供給手段１５０から供給される用紙Ｐは、紙送りモータ１６５により駆動されている紙送りローラ１６１と従動ローラ１６２に挟持されて記録手段１４０へ搬送され、さらに紙送りモータ１６５により駆動されている排紙ローラ１６３とギザローラ１６４に挟持されて排紙スタッカ１２０へ搬送されるようになっている。
【００２２】
図５は、インクジェット式プリンタ１００における排紙ローラ１６３とその周辺部を示す斜視図である。この排紙ローラ１６３は、プラスチックで成る軸部１６３ａが少なくとも記録可能な最大用紙幅より長くなるように形成され、さらにゴムで成るローラ部１６３ｂが軸部１６３ａに所定の間隔をあけて複数嵌入されている。なお、排紙ローラ１６３の軸部１６３ａは、ステンレス等の金属で形成してもよい。
【００２３】
そして、排紙ローラ１６３は、プラテン１６６に一体的に形成された軸受け１６７に填め込まれており、紙送りモータ１６５に連結されたギア機構１６８を介して駆動するようになっている。軸受け１６７は、排紙ローラ１６３の軸方向に所定の間隔をあけて複数配設されており、排紙ローラ１６３を多点支持するようになっている。
【００２４】
さらに、排紙ローラ１６３は、付勢手段１７１により用紙の排紙（搬送）方向側に偏寄するように押し付けられている。この付勢手段１７１は、図７（Ａ）の断面側面図に示すように、湾曲した板バネであり、一端側が排紙ローラ１６３に対して用紙の排紙方向上流側のプラテン１６６に固定され、他端側が排紙ローラ１６３の軸部１６３ａに当接されている。そして、付勢手段１７１は、排紙ローラ１６３の中央部と両端部側を付勢するように配設されている。
【００２５】
付勢手段１７１のバネ定数や配設数は、排紙ローラ１６３と紙送りローラ１６１との間で用紙を張ったときに、排紙ローラ１６３のしなり等の変形を規制することができるように設定される。これにより、排紙ローラ１６３による用紙の蹴飛ばし現象を防止することができるので、特に全面記録時の記録精度を向上させることができる。
【００２６】
図６は、インクジェット式プリンタ１００における排紙ローラ１６３とその周辺部を図５に対応させて示す別の斜視図であり、同一構成個所は同一番号を付して説明を省略する。この排紙ローラ１６３も、付勢手段１７２により用紙の排紙（搬送）方向側に偏寄するように押し付けられている。この付勢手段１７２は、図７（Ｂ）の断面側面図に示すように、圧縮コイルバネであり、一端側が排紙ローラ１６３に対して用紙の排紙方向上流側のプラテン１６６に固定され、他端側が排紙ローラ１６３の軸部１６３ａに嵌入されているリング１７２ａに固定されている。そして、付勢手段１７２は、排紙ローラ１６３の中央部と両端部側を付勢するように配設されている。
【００２７】
付勢手段１７２のバネ定数や配設数も、排紙ローラ１６３と紙送りローラ１６１との間で用紙を張ったときに、排紙ローラ１６３のしなり等の変形を規制することができるように設定される。これにより、排紙ローラ１６３による用紙の蹴飛ばし現象を防止することができるので、特に全面記録時の記録精度を向上させることができる。
【００２８】
また、図８（Ａ）に示すように、上記付勢手段１７１の一端側を排紙ローラ１６３に対して用紙の排紙方向上流側のプラテン１６６に固定し、他端側を排紙ローラ１６３の軸部１６３ａに当接させる。このように付勢手段１７１を配設することにより、排紙ローラ１６３は用紙の排紙方向とは逆方向側に偏寄するように押し付けられるので、軸受け１６７とそれに填め込まれた排出ローラ１６３の軸部１６３ａとの間に遊びが生じていても、排紙ローラ１６３の軸受け１６７内での変動を防止することができる。これにより、排紙ローラ１６３による用紙の蹴飛ばし現象を防止することができるので、特に全面記録時の記録精度を向上させることができる。
【００２９】
同様に、図８（Ｂ）に示すように、引張コイルバネでなる付勢手段１７３の一端側を排紙ローラ１６３に対して用紙の排紙方向上流側のプラテン１６６に固定し、他端側を排紙ローラ１６３の軸部１６３ａに嵌入されているリング１７３ａに固定する。このように付勢手段１７１を配設することによっても、排紙ローラ１６３は用紙の排紙方向とは逆方向側に偏寄するように押し付けられるので、軸受け１６７とそれに填め込まれた排出ローラ１６３の軸部１６３ａとの間に遊びが生じていても、排紙ローラ１６３の軸受け１６７内での変動を防止することができる。これにより、排紙ローラ１６３による用紙の蹴飛ばし現象を防止することができるので、特に全面記録時の記録精度を向上させることができる。
【００３０】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、排紙ローラを有する記録装置であれば、例えば熱転写式等のプリンタ、インクジェット式、熱転写式等のファクシミリ装置やコピー装置等にも適用可能である。
【００３１】
【発明の効果】
以上説明したように、本発明によれば、排出ローラに排出方向とは逆方向側の力が掛かっても、排出ローラには常に排出方向側の力または排出方向逆側の力が掛かっているため、軸受けとそれに填め込まれた排出ローラの軸部との間に遊びが生じていても、排出ローラの軸受け内での変動を防止することができる。したがって、排出ローラによる記録媒体の蹴飛ばし現象を防止することができ、特に全面記録時の記録精度を向上させることができる。
【図面の簡単な説明】
【図１】本発明の実施の形態に係る記録装置の１つであるインクジェット式プリンタの外部構成の全体を排紙口を閉じた状態で斜め前方から見た斜視図である。
【図２】図１のインクジェット式プリンタの排紙口を開いた状態の斜視図ある。
【図３】図１のインクジェット式プリンタの上部ハウジングを取り外したときの内部構成の全体を斜め前方から見た斜視図である。
【図４】図３のインクジェット式プリンタの主要部の断面側面図である。
【図５】図３のインクジェット式プリンタにおける排紙ローラとその周辺部を示す斜視図である。
【図６】図３のインクジェット式プリンタにおける排紙ローラとその周辺部を示す別の斜視図である。
【図７】図５及び図６の付勢手段の詳細を示す断面側面図である。
【図８】別の付勢手段の詳細を示す断面側面図である。
【図９】従来の排紙ローラを示す斜視図である。
【図１０】従来の軸受けを示す側面図である。
【符号の説明】
１００    インクジェット式プリンタ
１０１    上部ハウジング
１０２    下部ハウジング
１０３    給紙口
１０４    排紙口
１０５    窓部
１０６    カバー
１１０    給紙トレイ
１１１    給紙ガイド
１２０    排紙スタッカ
１３０    メイン基板
１４０    記録手段
１４１    キャリッジ
１４２    記録ヘッド
１４３    キャリッジモータ
１４４    タイミングベルト
１４５    吸引ポンプ
１４６    インクカートリッジ
１５０    供給手段
１５１    給紙ローラ
１６０    搬送手段
１６１    紙送りローラ
１６３    排紙ローラ
１６３ａ  軸部
１６３ｂ  ローラ部
１６５    紙送りモータ
１６６    プラテン
１６７    軸受け
１７１、１７２、１７３  付勢手段
１７２ａ、１７３ａ  リング
【図１】
0003891274.tif 000002
【図２】
0003891274.tif 000003
【図３】
0003891274.tif 000004
【図４】
0003891274.tif 000005
【図５】
0003891274.tif 000006
【図６】
0003891274.tif 000007
【図７】
0003891274.tif 000008
【図８】
0003891274.tif 000009
【図９】
0003891274.tif 000010
【図１０】
0003891274.tif 000011